(57)【要約】【課題】印刷装置の設計時に色再現範囲を取得することができず、また、正確に色再現範囲を特定することができなかった。【解決手段】色再現範囲を示す情報を生成するにあたり、印刷条件を取得し、上記印刷条件において複数の色材量で印刷を実行したときの色彩値を予め決められたモデルに基づいて取得し、機器非依存色空間内で上記取得した色彩値同士を予め決められた閾値以下の線で結ぶことで色再現範囲を示す情報を取得する。【選択図】図４
2007096430.tif 000002
【特許請求の範囲】
【請求項１】
印刷条件を取得する印刷条件取得手段と、
上記印刷条件において複数の色材量で印刷を実行したときの色彩値を予め決められたモデルに基づいて取得する色彩値取得手段と、
取得した色彩値に基づいて色再現範囲を示す情報を取得する色再現範囲取得手段とを具備することを特徴とする色再現範囲生成装置。
【請求項２】
上記印刷条件は、印刷に使用する色材と印刷媒体と色材の使用量制限と色材の記録方法のいずれかまたは組み合わせを含むことを特徴とする上記請求項１に記載の色再現範囲生成装置。
【請求項３】
上記モデルは上記印刷に使用する色材と印刷媒体とに対応して予め作成されており、上記色彩値取得手段においては色材の使用量制限ごとに複数の色材量を取得してその色彩値を取得することを特徴とする上記請求項２に記載の色再現範囲生成装置。
【請求項４】
上記モデルは、印刷媒体に記録された上記色材と印刷媒体とに所定の光を照射したときのそれぞれの分光反射率および印刷媒体上での色材による被覆率に基づいて任意の色材量で印刷を行ったときの分光反射率を算出して色彩値を取得することを特徴とする上記請求項１〜請求項３のいずれかに記載の色再現範囲生成装置。
【請求項５】
上記色再現範囲取得手段は、機器非依存色空間内で上記取得した色彩値同士を予め決められた閾値以下の線で結ぶことで色再現範囲を示す情報を取得することを特徴とする上記請求項１〜請求項４のいずれかに記載の色再現範囲生成装置。
【請求項６】
上記色再現範囲取得手段は、機器非依存色空間内で予め決められたセルにおいて対角に位置する頂点同士の長さの２倍を上記閾値とすることを特徴とする上記請求項５に記載の色再現範囲生成装置。
【請求項７】
上記色再現範囲取得手段は、機器非依存色空間内で予めセルを定義し、同一セル内および隣接セル内に含まれる２つの色彩値同士を結ぶことで色再現範囲を示す情報を取得することを特徴とする上記請求項１〜請求項６のいずれかに記載の色再現範囲生成装置。
【請求項８】
色再現範囲を示す情報を生成する色再現範囲生成方法であって、
印刷条件を取得する印刷条件取得工程と、
上記印刷条件において複数の色材量で印刷を実行したときの色彩値を予め決められたモデルに基づいて取得する色彩値取得工程と、
取得した色彩値に基づいて色再現範囲を示す情報を取得する色再現範囲取得工程とを具備することを特徴とする色再現範囲生成方法。
【請求項９】
色再現範囲を示す情報を生成する色再現範囲生成プログラムであって、
印刷条件を取得する印刷条件取得機能と、
上記印刷条件において複数の色材量で印刷を実行したときの色彩値を予め決められたモデルに基づいて取得する色彩値取得機能と、
取得した色彩値に基づいて色再現範囲を示す情報を取得する色再現範囲取得機能とをコンピュータに実現させることを特徴とする色再現範囲生成プログラム。
【発明の詳細な説明】
【技術分野】
【０００１】
本発明は、色再現範囲を決定する技術に関する。
【背景技術】
【０００２】
印刷装置においては、同じ機体であっても色材の種類や印刷媒体の種類、色材の使用量制限など、印刷条件が変わると色再現範囲が変動する。色再現範囲は、印刷装置の能力や画質を決定する重要な要素であるため、印刷装置の設計時（例えば、色変換プロファイルの作成時など）に正確かつ慎重に吟味する必要がある。また、従来から、色再現範囲を取得するための技術が提案されている（例えば、特許文献１参照）。
【特許文献１】特開２００５−１８１７１号公報
【発明の開示】
【発明が解決しようとする課題】
【０００３】
上述した従来の技術においては、印刷装置の設計時に色再現範囲を取得することができず、また、正確に色再現範囲を特定することができなかった。
すなわち、上記従来の技術においては、スキャナ等の読取デバイスを利用して複数のサンプルを読み取ることによって画像信号を取得している。従って、色再現範囲を取得するために、少なくとも複数のサンプルについて印刷装置で印刷した印刷結果が得られていることが必要である。しかし、印刷装置の設計時にはある色を表現するためにどのように色材を組み合わせて印刷すべきなのか決まっていない。また、ある色を出力するための色材の組み合わせを分版処理等によって仮に決定したとしてもその組み合わせが印刷装置の能力を十分に引き出しているのか不明である。従って、印刷結果を測色してその印刷結果を得ることができる印刷装置の色再現範囲を決定してもこの色再現範囲を印刷装置の設計時における検討に使用することはできなかった。
【０００４】
さらに、複数のサンプルに基づいて決定した色彩値では、これらの色彩値が色再現範囲の外郭を形成しているか否かを判断することができず、色再現範囲の概略のみしか決定できなかった。例えば、色再現範囲は全ての領域で外側に向かって凸であるとは限らず、一部に凹部を形成していることがある。上述した従来の技術においては、分割した領域ごとに一番外側の色彩値を選択するのみであり、この構成では、複雑な形状となっている色再現範囲を正確に特定することができなかった。
本発明は、上記課題にかんがみてなされたもので、印刷装置の設計時に色再現範囲を取得することができず、また、正確に色再現範囲を特定することが可能な色再現範囲生成技術の提供を目的とする。
【課題を解決するための手段】
【０００５】
上記目的を達成するため、本発明では、予め決められたモデルに基づいて複数の色材量で印刷を実行したときの色彩値を取得し、取得した色彩値に基づいて色再現範囲を示す情報を取得する。従って、このモデルによれば多数のパッチを実際に印刷することなく、色材量に対応する色彩値を取得することができ、多数のパッチを実際に印刷することなく色再現範囲を取得することができる。また、色彩値取得手段においては、印刷条件に応じて色材量を色彩値に変換することができるので、印刷条件ごとの色再現範囲をシミュレートすることができる。従って、印刷装置の設計時に複数の色再現範囲を取得し、各色再現範囲に基づいて好ましい印刷条件を決定することができる。
【０００６】
なお、色彩値取得手段においては、モデルに基づいて色材量を色彩値に変換可能であることにより、印刷を行うことなく（印刷結果を測色することなく）色彩値を取得可能であることが極めて重要である。すなわち、色材量から色彩値を算出するモデルを利用すれば、演算によって色彩値を取得することができるので、極めて多数の色材量について色彩値を取得することも非常に容易であり、場合によっては取り得る全ての色材量について色彩値を取得することも可能である。
【０００７】
このように、多数の色彩値を用いれば、色再現範囲の外郭を形成する色彩値を多数取得することができ、正確に色再現範囲を定義することが可能である。一方、印刷結果を測色することを前提にすると、多数の測色値を取得することは極めて煩雑であり、測色作業を実施して色彩値を取得可能な数は現実的な数（例えば、１０3個程度）に限定される。このため、これらの色彩値に基づいて色再現範囲の外郭を定義しても、その形状は正確に記述されない。
【０００８】
特に、印刷装置で使用する色材の色数が６色など多数色になると、色材量の組み合わせは極めて膨大となるため印刷物を測色する構成では色再現範囲が非常に不正確になるが、本発明では色材の色数が増えたとしてもその処理負担はあまり変わらない。従って、色材の色数が増加するほど本発明による効果がより顕著に表れる。また、印刷条件を変えて複数の色再現範囲を比較し、好ましい印刷条件を導出することを想定すると、印刷物を測色する構成では印刷条件の軽微な変更によって測色を繰り返す必要があり、ほとんど実現不可能である。この意味でも、モデルに基づいて色再現範囲を生成する効果は極めて大きい。
【０００９】
印刷条件は、色再現範囲に影響を与えうる条件であればよい。すなわち、条件を変えることによって同じ色材量であっても色彩値が異なる場合や使用可能な色材量が変わるなどして色再現範囲が変わるのであれば、そのような全ての条件が印刷条件である。印刷条件取得手段においては、少なくとも２以上の異なる印刷条件を示す情報を受け付けることができるように構成されていればよい。
【００１０】
色彩値取得手段においては、少なくとも２以上の印刷条件において複数の色材量に対応する色彩値を算出することができればよい。従って、印刷条件によって異なるモデルを適用可能であってもよいし、同じモデルで選択可能な色材量を印刷条件によって変動させてもよく、種々の構成を採用可能である。いずれにしても、上記印刷条件に応じて色材量に対応する色彩値を取得することができればよい。
【００１１】
色再現範囲取得手段においては、取得した色彩値に基づいて色再現範囲を示す情報を取得することができればよい。ここで、色再現範囲を示す情報は、色再現範囲、すなわち、取り得る色彩値の範囲を示していればよく、モデルに基づいて算出する色材量によってその正確さは変動し得るが、少なくとも、色彩値に基づいて色再現範囲（すなわち、印刷装置が表現可能な色の範囲を色空間内で示した情報）を取得することができればよい。
【００１２】
上述のように、印刷条件としては種々の条件を採用可能であるが、その好ましい例として、印刷に使用する色材と印刷媒体と色材の使用量制限と色材の記録方法のいずれかまたは組み合わせを含む構成を採用可能である。印刷に使用する色材（例えば、インク、トナーの種類や組成）が変われば、同じ色材量（重量や印刷媒体の被覆率）であってもその色彩値が変動し得るので、この意味で色材は印刷条件となり得る。また、この構成によれば色材による色再現範囲の差異を比較することが可能になる。予め用意された色数の色材のなかで使用する色材の数を設定可能にして印刷条件としてもよい。この構成によれば、色材の使用数に応じた色再現範囲の変化を取得することができる。印刷媒体も同様であり、普通紙、光沢紙、マット紙など印刷媒体が変われば、同じ色材量であってもその色彩値が変動し得るので、この意味で印刷媒体は印刷条件となり得る。また、この構成によれば印刷媒体による色再現範囲の差異を比較することが可能になる。
【００１３】
さらに、色材の使用量制限が変動すれば、他の条件が同じであっても、表現可能な色彩値が異なるため、色材の使用量制限が印刷条件となり得る。この構成によれば色材の使用量制限による色再現範囲の差異を比較することが可能になり、色再現範囲からみて好ましい使用量制限を特定することが可能になる。なお、色材の使用量制限は、色材の量を規定する条件であればよく、例えば、使用可能な色材量の上限を規定した条件や明度、色材の階調に依存して使用不可能な色を定義する条件等、種々の条件を採用可能である。前者は、１色あるいは複数色の色材を使用したときに使用可能な色材の量を定義することによって印刷媒体の撓み等を防止するなどのために使用される。後者は、周りと比較して目立つ色材の使用を抑えることで粒状感が目立つことを防止するなどのために使用される。
【００１４】
色材の記録方法は、印刷装置にて選択可能な記録方法であって、記録方法の差異によって色再現範囲が変動し得る全ての方法を含む。例えば、ハーフトーンアルゴリズムやインクジェットプリンタにおける印刷用紙の送り量制御、印刷解像度、単方向印刷あるいは双方向印刷の選択、色の自動修正処理の有無、印刷品質等、種々の記録方法を含む。むろん、これらの記録方法と他の条件とが互いに関連する場合、例えば、記録方法を変更することによって使用量制限が変動する場合は、一方の条件を選択したときに他の条件が変動するように、印刷条件を設定しておき、上記印刷条件取得手段においてこの条件を取得すればよい。
【００１５】
このように、印刷条件としては各種の条件を採用可能であるが、その一例として、上記印刷に使用する色材と印刷媒体とに対応させて上記モデルを作成しておき、色材の使用量制限を変動させて色彩値を取得する構成を採用可能である。この構成によれば、色材の使用量制限ごとに色再現範囲を取得することが可能であり、色材の使用量制限による色再現範囲の差異を比較することが可能になる。むろん、この構成において、印刷に使用する色材と印刷媒体とを変更することで異なるモデルを構築しておけば、印刷に使用する色材と印刷媒体とに依存させながら色再現範囲を比較することが可能になる。
【００１６】
色彩値取得手段におけるモデルの具体例として、分光反射率に基づいて色彩値を算出するモデルを採用可能である。すなわち、印刷媒体に記録される色材量に対応づけて、印刷媒体での色材による被覆率を特定するモデルを構築し、さらに、印刷媒体に記録された上記色材と印刷媒体とに所定の光を照射したときのそれぞれの分光反射率を定義したモデルを構築しておけば、これらの情報に基づいて任意の色材量における印刷結果の分光反射率を取得することが可能である。分光反射率が算出されれば、公知の式によって分光反射率を色彩値に変換することが可能である。
【００１７】
この結果、モデルに基づいて任意の色材量を色彩値に変換することが可能になり、このモデルが得られている限り、全く印刷を行うことなく多数の色材量を色彩値に変換することが可能になる。なお、ここでは、モデルに基づいて色彩値を算出することによって印刷および測色を行うことなく色彩値を取得することができればよい。従って、モデルは、前記のものに限定されることはないし、モデルを作成する際に印刷や測色を行ったとしても、一旦モデルを作成した後に、印刷および測色を行うことなく色彩値を取得することができればよい。他のモデルとしては、例えば、ランベルト・ベールの法則（新編色彩科学ハンドブック第２版  東京大学出版会  ２２２頁）に基づいて色材量を示す濃度階調値をＲＧＢ輝度成分に変換し、当該ＲＧＢ輝度成分を色彩値（Ｌ*ａ*ｂ*値等）に変換するモデル等を採用可能である。
【００１８】
色再現範囲取得手段においては、色彩値に基づいて色再現範囲を示す情報を取得することができればよい。色再現範囲は印刷装置において表現可能な色の範囲を示すので、色再現範囲の外郭に存在する色彩値を取得することができればよいが、その好適な例として、機器非依存色空間においてこれらの色彩値を線で結ぶ構成を採用可能である。この構成によれば、色再現範囲の形状を機器非依存色空間内で可視化することができる。なお、機器非依存色空間は、機器非依存色で表現した色彩値をプロット可能な空間であればよく、３次元が好ましいが２次元であってもよい。
【００１９】
複数の色彩値を線で結ぶ際の手法としては、種々の手法を採用可能であり、例えば、delaunay法等を採用可能である。当該delaunay法によれば、複数の色彩値を線で結ぶことによって色彩値を頂点とする三角形（３次元の場合は四面体）を生成することができ、容易に色再現範囲の形状を可視化することができる。ただし、本発明においては、凹部を形成しているはずの色再現範囲を表現するため、予め決められた閾値より長い線分は色彩値を結ぶ線としない。例えば、閾値より長い線分をもつ四面体は消去する。
【００２０】
すなわち、色再現範囲の外面が凹部となっている場合、色彩値同士を結んで立体を形成する際に凹部を跨ぐ線分を形成すると凹部が消失してしまうが、色再現範囲の外郭は一般的に緩やかに変化する曲面であり、当該凹部を跨ぐ線分は他の線分と比較して長い線分になっている。そこで、予め閾値を設定し、その閾値より長い線分では色彩値を結ばないように構成しておけば、色再現範囲の外面に形成されている凹部を消失させることなく色再現範囲を可視化することができる。従って、取得された色彩値から形成可能な範囲でできるだけ正確な色再現範囲を取得することができる。なお、色彩値を結ぶアルゴリズムは上記アルゴリズムに限定されず、例えば、凸包を形成する処理を採用した場合であったとしても、色彩値同士を予め決められた閾値以下の線で結ぶことで凹部の消失を防ぐことができる。
【００２１】
上記閾値は、色再現範囲の凹部を形成可能な限りにおいて種々の値を設定可能であるが、その好ましい構成として、機器非依存色空間内に予め設定したセルを利用することが可能である。すなわち、機器非依存色空間内に予め同じ大きさの複数のセルに分割しておき、セル内に含まれる色彩値を結ぶことを考える。このとき、多数の色材量に基づいて色彩値を取得しておけば、色彩値が含まれるセルであって機器非依存色空間内で最も外側にあるセルを容易に定義することができる。ここで、セルは正方形あるいは立方体であることが好ましい。
【００２２】
機器非依存色空間内で最も外側にあるセルを定義できれば、各セルに含まれる色彩値を線で結ぶことによって色再現範囲を可視化することができるが、このとき、各セルに含まれる色彩値が最も離れている場合の距離はセルにおいて対角に位置する頂点同士の長さの２倍である。そこで、この距離を閾値とすれば、あるセル内の色彩値と他のセル内の色彩値を結ぶときに、一つ以上のセルを飛び越して色彩値を結ぶことがなくなるので、凹部を消失させることなく色彩値同士を線で結ぶことが可能になる。
【００２３】
また、セルを定義し、セルに基づいて閾値を定義すれば、色彩値を結ぶ線分の長さを定義することができるので、少なくとも一つの色彩値が含まれるセルを抽出して色彩値を結ぶ処理を行うことにより、色再現範囲を表現する際の分解能を定義することができる。すなわち、どの程度の細かさで色再現範囲の外郭を表現するのかを定義することができる。従って、必要とされる色再現範囲の分解能に基づいてセルの大きさを定義すればよい。
【００２４】
なお、セルを定義すれば、好ましい色材量および色彩値を選択することも容易である。すなわち、多数の色材量に基づいて色彩値を取得したときに、セル内に複数の色彩値が存在する場合、その中から印刷装置での使用に好ましいものを選択すれば、色材量および色彩値を定義した上で色再現範囲を評価することができる。印刷装置での使用に好ましいものであるか否かを選択するためには、種々の指標を採用可能であり、例えば、CII（Color Inconstancy Index）やMI（Metameric Index）等を採用可能である。なお、ＣＩＩについてはBillmeyer and Saltzman's Principles of Color Technology, 3rd edition, John Wiley & Sons, Inc, 2000, p.129、ＭＩについてはBillmeyer and Saltzman's Principles of Color Technology, 3rd edition, John Wiley & Sons, Inc, 2000, p.127を参照。
【００２５】
さらに、機器非依存色空間内で予めセルを定義する構成において、同一セル内および隣接セル内に含まれる２つの色彩値同士を結ぶことで色再現範囲を示す情報を取得してもよい。この構成においても、あるセル内の色彩値と他のセル内の色彩値を結ぶときに、一つ以上のセルを飛び越して色彩値を結ぶことがなくなるので、凹部を消失させることなく色彩値同士を線で結ぶことが可能になる。なお、上記隣接セルには、辺を共有するセルと頂点を共有するセルとの双方を含む。
【００２６】
むろん、以上の発明は、装置のみならず、方法によって実現することも可能であるし、上記装置が行う処理を実行するプログラムによって実現することも可能である。また、本発明にかかる装置、方法、プログラムは単独で実施される場合もあるし、ある機器に組み込まれた状態で他の装置、方法、プログラムとともに実施されることもあるなど、発明の思想としてはこれに限らず、各種の態様を含むものであり、適宜、変更可能である。
【００２７】
さらに、本発明のプログラムを記録した記録媒体として提供することも可能である。このプログラムの記録媒体は、磁気記録媒体であってもよいし光磁気記録媒体であってもよいし、今後開発されるいかなる記録媒体においても全く同様に考えることができる。また、一次複製品、二次複製品などの複製段階については全く問う余地無く同等である。さらに、一部がソフトウェアであって、一部がハードウェアで実現されている場合においても発明の思想において全く異なるものではなく、一部を記録媒体上に記憶しておいて必要に応じて適宜読み込まれるような形態のものとしてあってもよい。また、必ずしも全部の機能を単独のプログラムで実現するのではなく、複数のプログラムにて実現させるようなものであっても良い。この場合、各機能を複数のコンピュータに実現させるものであればよい。
【発明を実施するための最良の形態】
【００２８】
ここでは、下記の順序に従って本発明の実施の形態について説明する。
（１）色再現範囲生成装置の構成：
（１−１）色再現範囲生成処理：
（２）プリンティングモデル：
（３）他の実施形態：
【００２９】
（１）色再現範囲生成装置の構成：
図１は、印刷条件に応じた色再現範囲を生成する色再現範囲生成装置のハードウェア構成およびソフトウェア構成を示すブロック図である。コンピュータ１０は演算処理の中枢をなすＣＰＵ１１を備えており、このＣＰＵ１１はシステムバスを介してコンピュータ１０全体の制御を行う。同システムバスには、ＲＯＭ１２、ＲＡＭ１３、ハードディスク１４や図示しないＵＳＢＩ／Ｆ，ＣＲＴＩ／Ｆや入力機器Ｉ／Ｆ等が接続されている。
【００３０】
ハードディスク１４には、ソフトウェアとしてオペレーティングシステム（ＯＳ）、印刷条件ごとに色再現範囲をシミュレートするための色再現範囲生成プログラム２０等が格納されており、これらのソフトウェアは、実行時にＣＰＵ１１によって適宜ＲＡＭ１３に転送される。ＣＰＵ１１は、ＲＡＭ１３を一時的なワークエリアとして適宜アクセスしながらＯＳの制御下で種々のプログラムを実行する。
【００３１】
また、ハードディスク１４には、色再現範囲生成プログラム２０が利用するデータとして予め定義されたプリンティングモデルを示すモデルデータ１４ａが記録されており、色再現範囲を生成した後に、当該色再現範囲を示すデータを色再現範囲データ１４ｂとして記録するようになっている。本実施形態においては、後述するプリンティングモデル演算モジュールによって特定のインクセットおよび特定の印刷媒体において印刷を行ったときの色彩値をシミュレートするように構成されている。
【００３２】
そこで、本実施形態においては、モデルデータ１４ａが示すモデルに基づいてシミュレートを実施するようになっており、インクが記録された状態の分光反射率、印刷媒体の分光反射率、インク量の階調値に対応した印刷媒体の被覆率を示すデータをモデルデータ１４ａとしている。なお、分光反射率は、所定の光源からの光を上記インクや印刷媒体に照射することを前提として得られる光の波長ごとの反射率である。また、色再現範囲データ１４ｂは、色再現範囲の外郭を構成する色彩値同士を線で結ぶためのデータであり、線で結ばれる色彩値同士を示している。従って、当該色再現範囲データ１４ｂを参照して色彩値を空間内にプロットし、色彩値同士を線で結べば、色再現範囲の形状を可視化することができる。
【００３３】
入力機器Ｉ／Ｆには、図示しないキーボード１７やマウス１６が操作用入力機器として接続される。また、ＣＲＴＩ／Ｆには、表示用のディスプレイ１８が接続されている。従って、コンピュータ１０では、キーボード１７やマウス１６による操作内容を受け付け、また、ディスプレイ１８に各種情報を表示することが可能である。
【００３４】
（１−１）色再現範囲生成処理：
本実施形態においては、コンピュータ１０内に色再現範囲生成プログラム２０が備えられており、利用者は、色再現範囲生成プログラム２０を実行して色再現範囲をシミュレートする。色再現範囲生成プログラム２０は印刷条件取得部２１と色彩値取得部２２と色再現範囲取得部２３とを備えており、色彩値取得部２２は、さらにサンプル生成モジュール２２ａとプリンティングモデル演算モジュール２２ｂとを備え、色再現範囲取得部２３は外郭抽出モジュール２３ａと線分生成処理モジュール２３ｂとを備えている。
【００３５】
図２は、色再現範囲生成処理のフローチャートであり、色再現範囲生成プログラム２０が実行されると、印刷条件取得部２１は、図示しないＵＩを上記ディスプレイ１８に表示し、キーボード１７等による印刷条件の指定を受け付ける（ステップＳ１００）。本実施形態においては、印刷媒体とインクセットとは予め規定されており、インクの使用量制限およびインクの色数を変動したときの色再現範囲をシミュレートするように構成されている。すなわち、本実施形態において印刷条件は、インクの使用量制限とインクの色数である。
【００３６】
より具体的には、インクの使用量は色毎の階調データによって特定され、インクの使用量制限を変動させると、この階調データの制限を変動させることができる。例えば、１〜６色のインクを使用したときの使用量の上限を１〜６色の全てについて指定することが可能であり、所望の上限を指定することによって印刷条件を設定可能である。むろん、使用量制限は上限だけではなく、特定のインクについては他のインクの階調値がある程度の大きさになるまで使用できないこととする制限など、他にも種々の制限を設定可能である。また、インクの色数は、予め用意されたインクセットの中で使用するインクの色数である。例えば、６色のインクセットの全色を使用するように指定したり、その中の４色を使用するように指定することによって印刷条件を設定可能である。
【００３７】
いずれにしも、上記ステップＳ１００においては、予め選択可能にされた印刷条件から、利用者所望の印刷条件を指示するようになっており、印刷条件取得部２１が当該指示された印刷条件を取得する。本実施形態においては、当該ステップＳ１００における処理が上記印刷条件取得手段における処理に相当する。印刷条件取得部２１が印刷条件を取得すると、色彩値取得部２２のサンプル生成モジュール２２ａは、インクの使用量を指定する色毎の階調データを組み合わせて複数の組み合わせ（サンプル）を生成する（ステップＳ１０５）。
【００３８】
本実施形態においては、色再現範囲の外郭を可視化することによって色再現範囲を示す情報を取得するので、上記サンプルは、外郭を形成するサンプルであり、かつ印刷条件を満たすサンプルであればよいが、サンプルを生成する段階ではどのような階調データの組み合わせが外郭を形成し、かつ印刷条件を満たすのか不明である。そこで、本実施形態においてはまず外郭を形成するか否かにかかわらず多数のサンプルを生成することとしており、階調値域を均等分割（例えば、１０等分）する階調値を抽出し、組み合わせることで多数（例えば、１１６個）のサンプルを生成する。
【００３９】
多数のサンプルを生成したら、プリンティングモデル演算モジュール２２ｂは、上記ステップＳ１００で取得した印刷条件を参照し、指定された印刷条件に合致するサンプルを取得する（ステップＳ１１０）。すなわち、上記印刷条件において指定されたインクの使用量制限を満たさないサンプルは除外し、上記印刷条件において指定されたインクの色数に合致しないサンプルは除外する。
【００４０】
印刷条件に合致するサンプルを取得すると、プリンティングモデル演算モジュール２２ｂが上記モデルデータ１４ａを参照し、これらのサンプルの階調データを色彩値に変換する（ステップＳ１１５）。プリンティングモデル演算モジュール２２ｂは、任意の階調データで印刷を行った場合の印刷物を上記所定の光源で観察したときの分光反射率を取得し、さらに、当該分光反射率に基づいて色彩値（例えば、Ｌ*ａ*ｂ*値）を取得するモジュールである。従って、プリンティングモデル演算モジュール２２ｂによれば、階調データにて指定されたインク量で印刷を行ったときの色彩値をモデルに基づいて算出することになる。なお、当該プリンティングモデル演算モジュール２２ｂの処理は後に詳述する。また、本実施形態においては、以上のステップＳ１０５〜Ｓ１１５が上記色彩値取得手段における処理に相当する。
【００４１】
図３の左側においては、上記サンプルの階調データを色彩値に変換した後の様子を説明する説明図を示している。同図３の左側においては、機器非依存色空間であるＬ*ａ*ｂ*空間に上記サンプルの階調データに対応した色彩値をプロットした様子を模式的に示している。同図に示すようにＬ*ａ*ｂ*空間において多数のプロット点が分布することになり、これらのプロット点を結べばその最外郭が可視化され、色再現範囲を可視化したことになる。
【００４２】
一方、上記ステップＳ１０５においては、外郭に存在するか否かにかかわらずサンプルを生成したので、上記図３の左側に示すプロット点には、色再現範囲を示す立体の内部に存在する点も多数含まれている。そこで、色再現範囲取得部２３の外郭抽出モジュール２３ａは、外郭付近に存在する点を抽出し、それ以外の点を間引くための処理を行う。このために、外郭抽出モジュール２３ａは、Ｌ*ａ*ｂ*空間を複数のセルに分割する（ステップＳ１２０）。
【００４３】
例えば、Ｌ*値、ａ*値、ｂ*値の各階調値域を均等に分割し、分割して得られる値の組み合わせを頂点として同じ大きさの立方体からなるセルを作成する。図３の左側においては、Ｌ*ａ*ｂ*空間を１６等分した場合の例をＬ*ａ*ｂ*の各軸上に示している。セルを作成したら、さらに外郭抽出モジュール２３ａは各セル内のＬ*ａ*ｂ*値を分析し、内部に少なくとも一つのＬ*ａ*ｂ*値を含むセルのうち最も外側に存在するセル（外郭に存在するセル）を抽出する（ステップＳ１２５）。この処理により、色再現範囲を示す立体の内部に存在する点の大半を除外することができる。
【００４４】
外郭に存在するセルを抽出したら、これらのセルに含まれるＬ*ａ*ｂ*値を線で結ぶことによって色再現範囲を示す立体を可視化することが可能になるため、線分生成処理モジュール２３ｂがＬ*ａ*ｂ*値同士を結ぶ線分を生成する処理を行う。このために、まず線分生成処理モジュール２３ｂは、セルの大きさに基づいて閾値を設定する（ステップＳ１３０）。なお、本実施形態においては、セルにおける立方体のうち最も遠い位置にある対角の頂点同士を結んだ長さの２倍を閾値としている。
【００４５】
閾値を決定したら、線分生成処理モジュール２３ｂは、delaunay法によって色彩値を頂点とした四面体を形成するように線分を生成し（ステップＳ１３５）、この四面体の辺のうち閾値より長い辺をもつ四面体を消去する（ステップＳ１４０）。この結果、凹部をできるだけ表現しながら色再現範囲の外郭を示す線分が形成され、正確に色再現範囲を可視化するための情報を取得することができる。
【００４６】
図３の右側には、上記閾値を説明するための図を示している。すなわち、同図３の右側には、上記セルを８個抜き出して示しており、この図に示すように、各セルにおいて最も遠い頂点を結ぶ対角線は、各セルに含まれる最も遠い点の距離を示している。従って、セルにおける立方体のうち最も遠い位置にある対角の頂点同士を結んだ長さの２倍を閾値とし、この閾値より長い線分を切断することとすれば、隣接する２つのセル（頂点が一致するセルを含む）において最も遠い距離にある２つの色彩値同士は結ばれるが、それより遠い距離にある２つの色彩値同士は結ばれることがない。この結果、凹部を消失させる原因となる長い線分を形成することなく色彩値を結ぶことが可能になる。
【００４７】
図４は、凹部の消失を防ぐ様子を説明するための説明図である。同図においては、説明の容易のため、色再現範囲とセルとを２次元で示しており、色彩値を結ぶ際に三角形を形成し、閾値より長い辺を切断する例を示しているが、上述のように３次元における処理であっても図４に示す２次元における処理であってもその技術思想は同様である。
【００４８】
図４の左側には、あるＬ*値でＬ*ａ*ｂ*空間を切断した場合の色再現範囲Ｇを示しており、同図４の右側には、色再現範囲Ｇに重ねて示す矩形の領域に形成された２次元のセル（すなわち、正方形）を示している。当該２次元のセルには、黒丸によって色彩値を示している。このセルにおいて、図の左側が色再現範囲の内部であるが、上記ステップＳ１２５において外角に存在するセルが抽出されているので、線分を結ぶ対象の色彩値は色再現範囲の表面に集中している。
【００４９】
各黒丸は、delaunay法によって実線のように結ばれて、各黒丸を頂点とした三角形が形成されるが、図４右側に示す破線は閾値より長いため、この破線は結ばれない。この破線は図４右側に示すように、凹部を消失させる線分となるが、本発明においては、この破線を結ばないので、その内側（図４では左側）に凹部が形成されたままとなる。従って、凹部を的確に表現しながら色再現範囲を可視化することができる。
【００５０】
以上のようにして、色彩値を結ぶ線分を確定したら、線分生成処理モジュール２３ｂは、これらの線分を示す情報である色再現範囲データ１４ｂを生成し、ハードディスク１４に記録するとともにディスプレイ１８に表示する（ステップＳ１４５）。ディスプレイ１８における表示は、種々の態様を採用可能である。例えば、Ｌ*ａ*ｂ*空間を斜視する画像を表現し、この空間に色彩値をプロットするとともに各色彩値を線分で結んだり、各線分によって形成される最外郭の三角形に着色して示すなど種々の構成を採用可能である。むろん、Ｌ*ａ*ｂ*空間を切断し、ある平面内での色再現範囲を視認できるようにしてもよい。本実施形態においては、ステップＳ１３０〜Ｓ１４５の処理が上記色再現範囲取得手段における処理に相当する。
【００５１】
以上の処理により、上記ステップＳ１００で指定した印刷条件における色再現範囲を示す情報を生成し、その色再現範囲を視認することが可能になるので、印刷条件を変えて以上の処理を繰り返すことにより、印刷条件ごとの色再現範囲をシミュレートすることができる。従って、各印刷条件での印刷を可能にできる印刷装置について、その設計時に色再現範囲をシミュレートすることが可能になり、コストと画質との組み合わせが最適になるように色再現範囲を決定した上で印刷装置を設計することが可能になる。
【００５２】
図５は、色再現範囲をシミュレートする様子を説明する説明図である。同図においては、上述の例のように、モデルデータ１４ａに印刷媒体Ａに所定の光源から光を照射した場合の分光反射率と、特定の６色インク（ＣＭＹＫｌｃｌｍ（Ｃ：シアン、Ｍ：マゼンタ、Ｙ：イエロー、Ｋ：ブラック、ｌｃ：ライトシアン、ｌｍ：ライトマゼンタ））を印刷媒体Ａに記録し状態で所定の光源から光を照射した場合の分光反射率と、インク量の階調値に対応したインクによる印刷媒体Ａの被覆率を示すデータが定義されている状態の例を示している。
【００５３】
このとき、印刷条件として特定の規則に基づいて決定されたインクの使用量制限（デューティＡ）を設定して色再現範囲をシミュレートすれば、この条件における色再現範囲が可視化される（図５（ａ））。さらに、異なるインクの使用量制限（デューティＢ）を設定して色再現範囲をシミュレートすれば、上記印刷媒体Ａ、上記６色インクにおいてデューティＢで印刷を行う場合の色再現範囲を可視化することができる（図５（ｂ））。また、印刷条件として、使用するインクの数を４色（例えば、ＣＭＹＫ）、デューティＡに設定すれば、この条件によって上記印刷媒体Ａで印刷を行う場合の色再現範囲を可視化することができる（図５（ｃ））。
【００５４】
以上のように、種々の印刷条件における色再現範囲を可視化することができれば、それぞれの色再現範囲を比較することにより、好ましいデューティを設定することができる。また、コストと画質とを勘案し、インクの色数を決定することができる。さらに、他のインクセットに変えるべきであるか否か、他の印刷媒体に変えるべきであるか否かを検討することができる。以上のシミュレートは、上記モデルを決定後、実際に印刷を行うことなく実施することができるので、印刷を行い、測色を行ってから色再現範囲を生成する構成と比較して、極めて容易に色再現範囲に基づく検討を実施することができる。
【００５５】
（２）プリンティングモデル：
次に、上記プリンティングモデルの一例を詳説する。以下に説明するプリンティングモデルは、セル分割ユール・ニールセン分光ノイゲバウアモデル(Cellular Yule-Nielsen Spectral Neugebauer Model)と呼ばれるモデルである。このモデルは、よく知られた分光ノイゲバウアモデルとユール・ニールセンモデルとに基づいている。尚、以下の説明では、ＣＭＹの３種類のインクを用いた場合のモデルについて説明するが、これを任意の複数のインクを用いたモデルに拡張することは容易である。
【００５６】
図６は、分光ノイゲバウアモデル（図６（Ａ）の左側のようなインクの記録状態から分光反射率を算出するモデル）を示す図である。分光ノイゲバウアモデルでは、任意の印刷物の分光反射率Ｒ（λ）は、以下の式（１）で与えられる。
【数１】
2007096430.tif 000003
【００５７】
ここで、ａiはｉ番目の領域の面積率であり、Ｒi(λ)はｉ番目の領域の分光反射率である。添え字iは、インクの無い領域（ｗ)と、シアンインクのみが記録される領域（ｃ）と、マゼンタインクのみが記録される領域（ｍ）と、イエローインクのみが記録される領域（ｙ）と、マゼンタインクとイエローインクが記録される領域（ｒ）と、イエローインクとシアンインクが記録される領域（ｇ）と、シアンインクとマゼンタインクが記録される領域（ｂ）と、ＣＭＹの３つのインクが記録される領域（ｋ）をそれぞれ意味している。また、ｆc，ｆm，ｆyは、ＣＭＹ各インクを１種類のみ吐出したときにそのインクで覆われる面積の割合（「インク被覆率」と呼ぶ。上記実施形態における被覆率に対応。）である。なお、分光反射率Ｒi(λ)は、カラーパッチを分光反射率計で測定することによって取得される。
【００５８】
インク被覆率ｆc，ｆm，ｆyは、図６（Ｂ）に示すマーレイ・デービスモデルで与えられる。マーレイ・デービスモデルでは、例えばシアンインクの面積率ｆcは、シアンのインク吐出量ｄcの非線形関数であり、１次元ルックアップテーブルの形で与えられる。インク被覆率がインク吐出量の非線形関数となる理由は、単位面積に少量のインクが吐出された場合にはインクが十分に広がるが、多量のインクが吐出された場合にはインクが重なり合うためにインクで覆われる面積があまり増加しないためである。
【００５９】
分光反射率に関するユール・ニールセンモデルを適用すると、上記式（１）は以下の式（２ａ）または式（２ｂ）に書き換えられる。
【数２】
2007096430.tif 000004
ここで、ｎは１以上の所定の係数であり、例えばｎ＝１０に設定することができる。式（２ａ）および式（２ｂ）は、ユール・ニールセン分光ノイゲバウアモデル(Yule-Nielsen Spectral Neugebauer Model)を表す式である。
【００６０】
セル分割ユール・ニールセン分光ノイゲバウアモデル(Cellular Yule-Nielsen Spectral Neugebauer Model)は、上述したユール・ニールセン分光ノイゲバウアモデルにおいてインク被覆率で形成される空間を複数のセルに分割したものである。
【００６１】
図７（Ａ）は、セル分割ユール・ニールセン分光ノイゲバウアモデルにおけるセル分割の例を示している。ここでは、簡単のために、シアンのインク被覆率ｆcとマゼンタのインク被覆率ｆmとの２つの軸を含む２次元空間でのセル分割を描いている。尚、これらの軸ｆc，ｆmは、インク吐出量ｄc，ｄmを示す軸と考えることもできる。白丸は、セル分割のグリッド点（「ノード」と呼ぶ）であり、２次元空間が９つのセルＣ１〜Ｃ９に分割されている。１６個のノードにおける印刷物（カラーパッチ）に対しては、分光反射率Ｒ00, Ｒ10, Ｒ20, Ｒ30, Ｒ01, Ｒ11…Ｒ33がそれぞれ予め決定される。
【００６２】
図７（Ｂ）は、このセル分割に対応するインク被覆率ｆc（ｄ）の形状を示している。ここでは、１種類のインクのインク量の範囲０〜ｄmaxが３つの区間に分割されており、インク被覆率ｆc（ｄ）は、区間毎に０から１まで単調に増加する曲線によって表されている。
【００６３】
図７（Ｃ）は、図７（Ａ）の中央のセルＣ５内にあるサンプルの分光反射率Ｒsmp(λ)の算出方法を示している。分光反射率Ｒsmp(λ)は、以下の式（３）で与えられる。
【数３】
2007096430.tif 000005
【００６４】
ここで、インク被覆率ｆc，ｆmは図７（Ｂ）のグラフで与えられる値であり、このセルＣ５内で定義された値である。また、セルＣ５の４つの頂点における分光反射率Ｒ11(λ)，Ｒ12(λ)，Ｒ21(λ)，Ｒ22(λ)の値は、上記式（３）に従ってサンプル分光反射率Ｒsmp(λ)を正しく与えるように調整されている。このように、インク被覆率で形成される空間を複数のセルに分割すれば、分割しない場合に比べてサンプルの分光反射率Ｒsmp(λ)をより精度良く算出することができる。尚、セル分割のノード値は、インク色毎に独立に設定することが好ましい。
【００６５】
ところで、図７（Ａ）に示すモデルにおいて、すべてのノードにおける分光反射率をカラーパッチの測定で得ることはできないのが普通である。この理由は、多量のインクを吐出すると滲みが発生してしまい、均一な色のカラーパッチを印刷できないからである。図８は、測定できない分光反射率を求める方法を示している。これは、シアンとマゼンタの２種類のインクのみを使用する場合の例である。シアンとマゼンタの２種類のインクで印刷される任意のカラーパッチの分光反射率Ｒ(λ)は、以下の式（４）で与えられる。
【数４】
2007096430.tif 000006
【００６６】
上記式（４）に含まれる複数のパラメータのうちで、シアンインクとマゼンタインクの両方が１００％吐出量であるときの分光反射率Ｒb(λ)のみが未知であり、他のパラメータの値は既知であると仮定する。このとき、式（４）を変形すれば、以下の式（５）が得られる。
【数５】
2007096430.tif 000007
上述したように右辺の各項はすべて既知である。従って、式（５）を解くことによって、未知の分光反射率Ｒb(λ)を算出することができる。
【００６７】
シアンとマゼンタの２次色以外の他の２次色の分光反射率も同様にして求めることが可能である。また、複数の２次色の分光反射率が求まれば、複数の３次色の分光反射率も同様にして求めることができる。こうして、高次の分光反射率を順次求めてゆくことによって、セル分割されたインク被覆率で形成される空間の各ノードにおける分光反射率をすべて求めることが可能である。
【００６８】
上記モデルデータ１４ａは、図７（Ａ）に示すようにセル分割されたインク被覆率で形成される空間の各ノードにおける分光反射率の値と、図７（Ｂ）に示すインク被覆率を示す１次元ルックアップテーブルとを有している。図１に示すプリンティングモデル演算モジュール２２ｂは、これらを用いて任意のインク量データに対する分光反射率Ｒsmp(λ)を算出するように構成されている。さらに、任意の光源の分光分布と等色関数を示すデータを有しており、上記分光反射率Ｒsmp(λ)との積を波長毎に加えることによって３刺激値を計算し、この３刺激値を公知の式によって変換することで色彩値を取得する。
【００６９】
（３）他の実施形態：
上記実施形態は一例であり、モデルに基づいて色再現範囲をシミュレートすることで、印刷を行うことなく印刷条件ごとの色再現範囲を生成することができる限りにおいて、種々の構成を採用することができる。例えば、上記閾値はセルの対角線の２倍に限定されず、同一セル内および隣接セル内に含まれる２つの色彩値同士を結ぶこととし、それ以外の色彩値同士は線分で結ばないようにしてもよい。この構成においても凹部を消失させることなく色再現範囲を可視化することができる。
【００７０】
また、上記閾値は凹部を消失させないように、予め上限の長さを定義できる限りにおいて、他にも種々の構成が可能であり、セルに基づいて閾値を設定することが必須というわけではない。ただし、セルに基づいて閾値を決定すれば、セルの大きさに基づいて色再現範囲の表面上に形成される凸凹の程度を調整できるので、セルの大きさによって当該凹凸の分解能を調整することが可能である。
【００７１】
さらに、印刷条件としては、上述のようにインクの使用量制限とインクの色数に限らず、他にも種々の印刷条件を採用可能である。例えば、複数の印刷媒体およびインクセットについてのモデルデータ１４ａを予め作成しておき、これらを選択可能にすることで、印刷媒体およびインクセットの組み合わせも印刷条件として可変にすることが可能である。また、インクの記録方法を印刷条件に含めてもよい。例えば、ハーフトーンアルゴリズムを選択可能に構成することが可能である。この場合、各ハーフトーンアルゴリズムによって記録されるインクの量や被覆率を決定するモデルを予め構築しておけばよく、この構成により、ハーフトーンアルゴリズムによって異なる色再現範囲をシミュレートすることができる。
【００７２】
また、インクジェットプリンタにおける印刷用紙の送り量制御法や双方向印刷の有無を印刷条件に含めてもよい。すなわち、インクジェットプリンタにおいては、印刷用紙の送りや印刷方向を制御して隣り合うラスタに複数のノズルでインクを記録し、また、隣り合うラスタのそれぞれにインクを記録するノズルが特定の２つのノズルになることを防止して、主走査方向に平行な線が印刷されることを防止する制御を行うことがある。このとき、これらの制御法によって、インクの使用量制限等が異なる場合がある。そこで、インクの使用量制限ではなく、制御法（記録方法）を指定することによって印刷条件を決定するように構成してもよい。
【００７３】
また、印刷品質によって一回の吐出あたりのインク量が異なったり、色の自動修正処理の有無によって、上記分光反射率が変動するのであれば、これらの要素を印刷条件に含め、印刷条件に応じたモデルで色再現範囲をシミュレートしてもよい。以上の構成により、印刷時の記録方法に応じて色再現範囲を比較することが可能になる。むろん、そのほかの要素を印刷条件に含めてもよい。例えば、上記ＭＩやＣＩＩが所定の閾値以下になるような色彩値で印刷することを印刷条件とすれば、当該ＭＩやＣＩＩが所定の閾値以下になる状態の色再現範囲を可視化することが可能である。
【００７４】
さらに、上記実施形態においては、外郭に存在するセル以外を除去して線分生成処理の対象となる色彩値を間引き、高速に処理を実施することを可能にしていたが、当該間引き処理が必須というわけではない。例えば、高速に処理を実施可能なリソースをもつコンピュータであれば、間引き処理を行うことなく上記線分生成処理を実施してもよい。さらに、本発明の適用対象はインクジェットプリンタに限らず、種々のプリンタ（例えば、トナーインクを使用するプリンタ）における色再現範囲のシミュレートに使用することができる。
【００７５】
さらに、上記モデルを他のモデルとしてもよい。例えば、ランベルト・ベールの法則に基づいて以下のように構築したモデルを採用することができる。まず、各インク色について色毎に複数の階調値（例えば、２５６階調において１６〜３２個程度）を抜き出すとともに当該抜き出した階調値に基づいてインク量を特定（例えば、階調値とインク量が線形であるとして特定）し、各インク量において各色単色でパッチを印刷する。この結果、各色単色で複数のパッチが印刷される。そこで、測色機によってこのパッチおよびインク無記録の紙白を測色し、各色についてＣＭＹの濃度値を取得する。
【００７６】
また、このＣＭＹ濃度値を以下の式（６）に代入して各インク色のパッチ毎にＲＧＢ輝度（中間ＲＧＢ輝度と呼ぶ）を算出する。
【数６】
2007096430.tif 000008
尚、式（６）は濃度を輝度に変換する一般的な式であるが、本実施形態ではＣＭＹ濃度を色成分毎の独立変数とし、中間ＲＧＢ輝度を求めるものとした。ここで、Ｔｒ，Ｔｇ，Ｔｂを中間ＲＧＢ輝度と呼んでおり、各インク単色の各パッチにおけるＲ輝度成分，Ｇ輝度成分，Ｂ輝度成分を示している。また、Ｄｃ，Ｄｍ，ＤｙはＣ濃度成分，Ｍ濃度成分，Ｙ濃度成分を示しており、ｉはインク色を区別するための符号である。
【００７７】
以上の演算によれば、各インク単色で印刷を行った場合の中間ＲＧＢ輝度が階調値に対して得られることになるので、この中間ＲＧＢ輝度と各インク単色の階調値との対応関係を参照すれば、補間演算によってインク単色の任意の階調値に対応した中間ＲＧＢ輝度を算出することができる。
【００７８】
そこで、さらに、中間ＲＧＢ輝度を色彩値に変換するため、以下の式（７）によって各インク色を組み合わせた状態での色に対応したＲＧＢ輝度を算出する。
【数７】
2007096430.tif 000009
以上のようにして、ＲＧＢ輝度が算出されると、算出されたＲＧＢ輝度を３×３のマトリクスによってＸＹＺ表色系での値に変換し、このＸＹＺ表色系の値をさらにＬ*ａ*ｂ*表色系での値に変換する。ここで、ｉはインク色を区別するための符号である。
【００７９】
以上の演算により、任意の色における単色の階調値から補間で得られた中間ＲＧＢ輝度を式（７）に代入することによってＲＧＢ輝度が算出され、このＲＧＢ輝度からＬ*ａ*ｂ*値が算出されることになる。従って、任意の階調値に対応する色彩値を取得することができる。この結果、任意の階調値を色彩値に変換することが可能になるので、この変換を示す式やルックアップテーブルを作成することで任意のインク量を色彩値に変換するモデルを構築したことになる。そこで、このモデルを使用して上記ステップＳ１１５を実施することで、上記図２に示す処理と同様に、印刷条件ごとの色再現範囲をシミュレートすることが可能になる。
【００８０】
なお、本発明におけるモデルにおいて、このモデルの構築にある程度の数のパッチを測色する必要があるとしても、任意のインク量に対応した色彩値を得るために測色を行う必要はない。従って、上記ステップＳ１０５で生成した多数のサンプルについて印刷を行うことなく色再現範囲をシミュレートすることが可能であり、一旦モデルを構築すれば、印刷装置の設計時に印刷条件を吟味することが可能になる。さらに、上記いずれのモデルにおいても、ある色を出力するために必要な多数のインクの組み合わせを指定するための規則（分版規則：下色除去等の規則）を決定することなく色再現範囲をシミュレートすることができる。従って、この規則に制限を受けることなく色再現範囲を吟味することができる。
【図面の簡単な説明】
【００８１】
【図１】色再現範囲生成装置を示すブロック図である。
【図２】色再現範囲生成処理のフローチャートである。
【図３】機器非依存色空間内の色彩値、セルおよび閾値の説明図である。
【図４】凹部の消失を防ぐ様子を説明するための説明図である。
【図５】色再現範囲をシミュレートする様子を説明する説明図である。
【図６】分光ノイゲバウアモデルを示す図である。
【図７】セル分割ユール・ニールセン分光ノイゲバウアモデルを示す図である。
【図８】セル分割ユール・ニールセン分光ノイゲバウアモデルにおいて、測定できない分光反射率を求める方法を示す図である。
【符号の説明】
【００８２】
１０…コンピュータ、１１…ＣＰＵ、１２…ＲＯＭ、１３…ＲＡＭ、１４…ハードディスク、１４ａ…モデルデータ、１４ｂ…色再現範囲データ、１６…マウス、１７…キーボード、１８…ディスプレイ、２０…色再現範囲生成プログラム、２１…印刷条件取得部、２２…色彩値取得部、２２ａ…サンプル生成モジュール、２２ｂ…プリンティングモデル演算モジュール、２３…色再現範囲取得部、２３ａ…外郭抽出モジュール、２３ｂ…線分生成処理モジュール
【図１】
2007096430.tif 000010
【図２】
2007096430.tif 000011
【図３】
2007096430.tif 000012
【図４】
2007096430.tif 000013
【図５】
2007096430.tif 000014
【図６】
2007096430.tif 000015
【図７】
2007096430.tif 000016
【図８】
2007096430.tif 000017